(57)【要約】【課題】  バングルバンドでバンドの長さが調整できない。【解決手段】  弾性を有する線材または板材を略円弧状に形成したC型のバングルバンド３の一方のバンド３aの端部にバンド長さ調整用の中留部材６を軸着し、他方のバンド３bの端部にフック３c形成する。中留部材６は略長方形状をなし、軸着部６aの反対側の端部から略中央部まで、長手方向にスリット６bが形成され、スリット6ｂを跨ぐように複数（実施例では3個）の係止用桟７を設ける。また、バングルバンド３の略中央部に時計本体１に連結する連結部材５が移動する範囲を規制する２つの移動規制突起４が設けられている。使用者が所望の長さに調整できる機能的で、ファッション性にも優れたバングルバンドが可能である。【選択図】  図２
2006271479.tif 000002
【特許請求の範囲】
【請求項１】
弾性を有する線材または板材を略円弧状に形成したC型のバングルバンドにおいて、前記バングルバンドの一方の端部にバンド長さ調整手段を設け、他方の端部に前記バンド長さ調整手段に配設された係止部に係合固定するフックを形成したことを特徴とするバングルバンド。
【請求項２】
前記バングルバンドの一方の端部に設けたバンド長さ調整手段は、複数の係止部を有する梯子状をした中留部材であることを特徴とする請求項１記載のバングルバンド。
【請求項３】
前記バンド長さ調整用の梯子状をした中留部材は、略長方形状をした中留本体の一方の端部には前記バングルバンドの一方の端部に回動自在に軸着される軸着部を有し、該軸着部の反対側の端部から略中央部まで、長手方向にスリットが形成され、該スリットを跨ぐように複数の係止用桟を設けたことを特徴とする請求項１または２記載のバングルバンド。
【請求項４】
前記バングルバンドの略中央部には、時計本体と連結する連結部材が移動する範囲を規制する移動規制突起が設けられていることを特徴とする請求項1〜３のいずれか1項記載のバングルバンド。
【発明の詳細な説明】
【技術分野】
【０００１】
本発明は、一般に婦人用の腕時計に使用される時計バンドに係り、詳しくは、バンド長さ調整可能なバングルバンドに関する。
【背景技術】
【０００２】
従来、一般的に使用されている婦人用の腕時計に使用されるバングルバンドの構造は、バネ性を有する線材もしくは板材を腕の輪郭に合うように略円形に形成し、このリング状バンドの一方の端部を時計ケースの一方の端に軸着し、他方の端部を時計ケースの他方の端に係止する構造のものである。（例えば、特許文献１、特許文献２参照）
【０００３】
【特許文献１】実開昭４９−４６７６６号（第２〜３頁、図１）
【特許文献２】実開昭５９−１７４０２０号（第２頁、図１）  上記した特許文献１に開示されている時計バンドの構造は、図５に示すように、この腕時計バンド１１は、弾性材により略円形に形成されていて、その端部には時計本体１２のケースの連結部１３でバネ棒１４により軸着される挿通孔１１aと、他方の端部はケースの連結部１３の係止用バネ棒１５に係止するフック１１bが形成されている。前記時計バンド１１に形成されたフック１１bをバンドの弾性力に抗して係止用バネ棒１５に引っ掛け係合させることにより、バンド１１を腕時計本体１２に取付けることができる構造である。
【０００４】
また、特許文献２に開示されているリングバンド付き腕時計（図示せず）は、時計本体の一部にリング状のバンド本体の一端をロー付けなどで固定し、他端を時計本体の一部に着脱可能に係止したものである。
【発明の開示】
【発明が解決しようとする課題】
【０００５】
解決しようとする問題点は、上記した特許文献１および特許文献２に開示されているバングルバンドにおいて、いずれも使用者の腕の太さに対応して、バンドを所望の長さに自由に調整する機能がない。また、調整機構がないことで、腕が細い女性は、時計を携帯した時、係合状態はゆるくなり、時計本体の重みで時計本体が下側または裏側へバンドごと回転し、時刻を確認する際はその都度本体を移動しなければならず、視認しにくい構造となっている。などの致命的な問題があった。
【０００６】
本発明は、上述の欠点を解消するもので、その目的は、バングルバンドの一端にバンドの長さを調整可能な中留部材を設けることにより、機能的にも、ファッション性にも優れたバングルバンドを提供するものである。
【課題を解決するための手段】
【０００７】
上記目的を達成するために、本発明におけるバングルバンド、弾性を有する線材または板材を略円弧状に形成したC型のバングルバンドにおいて、前記バングルバンドの一方の端部にはバンド長さ調整手段を設け、他方の端部に前記バンド長さ調整手段に配設された係止部に係合固定するフックを有することを特徴とするものである。
【０００８】
また、前記バングルバンドの一方の端部に設けたバンド長さ調整手段は、複数の係止部を有する梯子状をした中留部材であることを特徴とするものである。
【０００９】
また、前記バンド長さ調整用の梯子状をした中留部材は、略長方形状をした中留本体の
一方の端部は前記バングルバンドの一方の端部に回動自在に軸着される軸着部を有し、該軸着部の反対側の端部から略中央部まで、長手方向にスリットが形成され、該スリットを跨ぐように複数の係止用桟を設けたことを特徴とするものである。
【００１０】
また、前記バングルバンドの略中央部には、時計本体と連結する連結部材が移動する範囲を規制する移動規制突起が設けられていることを特徴とするものである。
【発明の効果】
【００１１】
本発明のバングルバンドは、バングルバンドの一方の端部に長さ調整機能を有する中留部材を取付け、他方の端部にフックを取付ける簡単な構造により、使用者が所望の長さに自由に調整することが可能である。また、バングルバンドの長さの略中央部に配設した２つの移動規制突起により、時計本体の移動する範囲が規制されるので、時計を腕に携帯中に時刻を視認し易い。機能的にも、ファッション的にも優れたバングルバンドを提供することが可能である。
【発明を実施するための最良の形態】
【００１２】
本発明の時計バンドについて、図面に基づいて説明する。
【実施例】
【００１３】
図１〜図４は、本発明の実施例に係わり、図１は、本発明のバングルバンドに時計本体を連結した状態の正面図、図２は、図１の側面図、図３は、図１の中留部材の係止用桟にフックを係合固定した状態の正面図、図４は、図３のＡ−Ａ線断面図である。
【００１４】
図１、図２において、１は時計本体であり、12時位置に相当するケース外壁に連結リング２が固着されている。３は本発明のバングルバンドであり、バングルバンド３の長さの略中央部に2つの移動規制突起４が隣接して配設されている。前記時計本体１とバングルバンド３とは両者を連結するための連結部材５によって、連結部材５の一方の端部はケース外壁に設けられた連結リング２と、他端はバングルバンド３に設けられた2つの移動規制突起４の間で連結されている。また、バングルバンド３の一方のバンド３aの端部には中留部材６が軸着部６aで回動自在に軸着され、他方のバンド３bの端部にはフック３cが形成されている。
【００１５】
前記中留部材６の構成について説明する。図３に示すように、中留部材６は、略長方形状をしており、上記したように、中留部材６には、一方の端部は前記バングルバンド３の一方のバンド３aの端部に回動自在に軸着され軸着部６aと、該軸着部６aと反対側の端部から略中央部まで、長手方向にスリット６ｂが形成されている。該スリット６bには梯子状にスリット６ｂを跨ぐように略等間隔に複数（本実施例では3個）の係止用桟７（７a、７ｂ、７ｃ）が固定されている。該係止用桟７によりバングルバンド３の他方のバンド３bの端部に形成されたフック３cを引っ掛けることにより係合固定される。
【００１６】
上述した構成のバングルバンドの作用について説明する。前記バングルバンド３の一方のバンド３aと他方のバンド３bとの連結は、両方のバンド３aと３bの弾性力に抗してフック３cを中留部材６に配設された所望の位置の係止用桟７に引っ掛けて係合固定する。図4において、図４（a）はバンドの長さが一番長い調整位置を示し、フック３cが第１の係止用桟７aに係合固定された状態である。同様に、図４（b）は、バンドの長さが中位置を示し、フック３cが第２の係止用桟７bに、図４（c）はバンドの長さが一番短い調整位置を示し、フック３cが第３の係止用桟７ｃにそれぞれ係合固定された状態を示すものである。尚、本実施例では、係止用桟７を3個設けたが、前記中留部材６の長さを長くして係止用桟７の数を増すことによりバンドの長さの調整範囲を拡大することが可能である。更に、前記係止用桟７間の間隔を調整することにより、バンド長さの微妙な調整が可能である
ことは言うまでもない。また、上記実施例において、他方のバンド３bの端部に設けたフック３cは、中留部材６の表面側（腕に接触する面と反対側）から係止用桟７に引っ掛けて係合固定していたが、フック３cを１８０゜回転した状態にし、中留部材６の裏面側から係止用桟７に係合固定できるような構造としても良く、この構造とすると、係止用桟７とフック３cとの係合固定がより確実なものとなる。
【００１７】
また、時計本体１とバングルバンド３とを連結する連結部材５は、バングルバンド３の長さの略中央部に隣接して設けた２つの移動規制突起４の間のみを移動規制されるので、時計本体１は余分に移動することがないので、使用者は時計を腕に携帯中でも時刻が視認し易い。
【００１８】
上述した構成のバングルバンドは、長さ調整用の中留部材を取付けた簡単な構造により、使用者が所望の長さに容易に調整できる機能的な、また、ファッション性にも優れたバングルバンドを市場に提供することが可能である。
【図面の簡単な説明】
【００１９】
【図１】本発明のバングルバンドに時計本体を連結した状態の正面図である。
【図２】図１の側面図である。
【図３】図１の中留部材の係止用桟にフックを係合固定した状態の正面図である。
【図４】図３のＡ−Ａ線断面図である。
【図５】従来の時計バンドに時計本体を取付けた状態の断面図である。
【符号の説明】
【００２０】
１  時計本体
２  連結リング
３  バングルバンド
３a  一方のバンド
３b  他方のバンド
３c  フック
４  移動規制突起
５  連結部材
６  中留部材
６a  軸着部
６b  スリット
７  係止用桟
７a  第１の係止用桟
７b  第２の係止用桟
７c  第３の係止用桟
【図１】
2006271479.tif 000003
【図２】
2006271479.tif 000004
【図３】
2006271479.tif 000005
【図４】
2006271479.tif 000006
【図５】
2006271479.tif 000007